【手続補正書】
【提出日】平成27年7月29日(2015.7.29)
【手続補正１】
【補正対象書類名】明細書
【補正対象項目名】０２９７
【補正方法】変更
【補正の内容】
【０２９７】
実施形態Ｇ−ＸＩ。（ａ）加熱をもたらすプロセスと連通する第１の熱交換器に、実施形態Ｇ−Ｉ〜Ｇ−ＩＩＩの組成物を含む作動流体を通すステップと、（ｂ）前記作動流体を前記第１の熱交換器から除去するステップと、（ｃ）機械的エネルギーをもたらすデバイスに、前記作動流体を通すステップと、（ｄ）第２の熱交換器に前記作動流体を通すステップとを含む、熱を回収するための方法。
実施形態Ｈ−Ｉ。Ｒ−２２、Ｒ−４０４Ａ、Ｒ−４０７Ｃ、またはＲ−１３４ａを使用するように設計されたシステムでそれぞれＲ−２２、Ｒ−４０４Ａ、Ｒ−４０７Ｃ、またはＲ−１３４ａを置換するための方法であって、実施形態Ａ−Ｉ〜Ａ−ＶＩ、Ｂ−Ｉ〜Ｂ−Ｖ、Ｃ−Ｉ〜Ｃ−ＶＩＩＩ、またはＤ−Ｉ〜Ｄ−ＩＶのいずれかの組成物を前記システムに提供することを含む方法。
【手続補正２】
【補正対象書類名】明細書
【補正対象項目名】０２９８
【補正方法】変更
【補正の内容】
【０２９８】
以上、本発明を要約すると下記のとおりである。
１．ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆ、またはこれらの混合物とを含む組成物であって、該組成物が、
（Ｉ）第１の組成物であって、上記ＨＦＯ−１２３４ｙｆまたはトランス−ＨＦＯ−１２３４ｚｅまたはこれらの混合物が少なくとも該第１の組成物の全質量の５６質量パーセントである第１の組成物、
（ＩＩ）第２の組成物であって、上記ＨＦＣ−３２が最大で該第２の組成物の全質量の２９質量パーセントである第２の組成物、
（ＩＩＩ）第３の組成物であって、上記ＨＦＣ−１５２ａが少なくとも該第３の組成物の全質量の５６質量パーセントである第３の組成物、
（ＩＶ）第４の組成物であって、上記ＨＦＣ−３２が少なくとも該第４の組成物の全質量の５６質量パーセントである第４の組成物、
（Ｖ）トランス−ＨＦＯ−１２３４ｚｅと、ＨＦＣ−３２と、ＨＦＣ−１５２ａ、ＨＦ
Ｏ−１２４３ｚｆまたはこれらの混合物とを含む第５の組成物、および
（ＶＩ）第６の組成物であって、上記ＨＦＯ−１２４３ｚｆまたはＨＦＯ−１２４３ｚｆとＨＦＣ−１５２ａとの混合物が最大で前記第６の組成物の全質量の２０質量パーセントである第６の組成物
からなる群から選択される組成物。
２．前記組成物が、少なくとも１つの既存の冷媒の約７５％〜約１３０％の範囲の冷却能力を有する、上記１に記載の組成物。
３．前記既存の冷媒が、Ｒ−２２、ＨＦＣ−１３４ａ、Ｒ−４０４Ａ、およびＲ−４０７Ｃからなる群から選択される、上記２に記載の組成物。
４．前記組成物の燃焼性が最大で２Ｌに分類される、上記３に記載の組成物。
５．約５６〜約９８質量パーセントのＨＦＯ−１２３４ｙｆまたはトランス−ＨＦＯ−１２３４ｚｅまたはこれらの混合物と、約１〜約２９質量パーセントのＨＦＣ−３２と、約１〜約１８質量パーセントのＨＦＣ−１５２ａ、ＨＦＯ−１２４３ｚｆまたはこれらの混合物とを含む、上記１に記載の組成物。
６．約６０〜約９８質量パーセントのＨＦＯ−１２３４ｙｆまたはトランス−ＨＦＯ−１２３４ｚｅまたはこれらの混合物と、約５〜約２５質量パーセントのＨＦＣ−３２と、約５〜約１５質量パーセントのＨＦＣ−１５２ａ、ＨＦＯ−１２４３ｚｆまたはこれらの混合物とを含む、上記１に記載の組成物。
７．約７５〜約８５質量パーセントのＨＦＯ−１２３４ｙｆまたはトランス−ＨＦＯ−１２３４ｚｅまたはこれらの混合物と、約１０質量パーセントのＨＦＣ−３２と、約５〜約１５質量パーセントのＨＦＣ−１５２ａ、ＨＦＯ−１２４３ｚｆまたはこれらの混合物とを含む、上記１に記載の組成物。
８．約５８〜約７３．５質量パーセントのＨＦＯ−１２３４ｙｆまたはトランス−ＨＦＯ−１２３４ｚｅまたはこれらの混合物と、約２１．５質量パーセントのＨＦＣ−３２と、約５〜約２０質量パーセントのＨＦＣ−１５２ａ、ＨＦＯ−１２４３ｚｆまたはこれらの混合物とを含む、上記１に記載の組成物。
９．約２２〜約３８質量パーセントのＨＦＯ−１２３４ｙｆまたはトランス−ＨＦＯ−１２３４ｚｅまたはこれらの混合物と、約５７．５質量パーセントのＨＦＣ−３２と、約５〜約２０質量パーセントのＨＦＣ−１５２ａ、ＨＦＯ−１２４３ｚｆまたはこれらの混合物とを含む、上記１に記載の組成物。
１０．０質量パーセントより大きく、約１０質量パーセントまでの範囲の少なくとも１つの飽和ＨＦＣをさらに含む、上記１に記載の組成物。
１１．前記少なくとも１つの飽和ＨＦＣがＨＦＣ−１３４ａである、上記１０に記載の組成物。
１２．前記組成物のＧＷＰが、Ｒ−１３４ａ、Ｒ−２２、Ｒ−４０７Ｃ、およびＲ−４０４Ａからなる群から選択される少なくとも１つの冷媒のＧＷＰよりも小さい、上記２に記載の組成物。
１３．前記ＨＦＯ−１２３４ｙｆまたはトランス−ＨＦＯ−１２３４ｚｅまたはこれらの混合物の、ＨＦＣ−１５２ａ、ＨＦＯ−１２４３ｚｆまたはこれらの混合物に対する比率が約１：１〜約２０：１の範囲である、上記１に記載の組成物。
１４．鉱油、アルキルベンゼン、合成パラフィン、合成ナフテン、ポリアルファオレフィン、ポリアルキレングリコール、二塩基酸エステル、ポリエステル、ネオペンチルエステル、ポリビニルエーテル、シリコーン、ケイ酸エステル、フッ素化化合物、リン酸エステルおよびこれらの混合物からなる群から選択される少なくとも１つの潤滑剤をさらに含む、上記１に記載の組成物。
１５．潤滑剤、色素（ＵＶ色素を含む）、可溶化剤、相溶化剤、安定剤、トレーサー、ペルフルオロポリエーテル、摩耗防止剤、極圧剤、腐食および酸化防止剤、金属表面エネルギー低下剤、金属表面不活性化剤、フリーラジカル捕捉剤、泡制御剤、粘度指数向上剤、流動点降下剤、清浄剤、粘度調整剤、およびこれらの混合物からなる群から選択される少なくとも１つの添加剤をさらに含む、上記１に記載の組成物。
１６．上記１に記載の組成物を凝縮させるステップと、その後、冷却すべき物体の近くで該組成物を蒸発させるステップと、を含む、冷却を行うための方法。
１７．加熱すべき本体の近くで上記１に記載の組成物を凝縮させる工程、及びその後、該組成物を蒸発させることを含む、熱を生成するための方法。
１８．既存の冷媒を使用するように設計されたシステムで該既存の冷媒をそれぞれ置換するための方法であって、上記１に記載の組成物を該システムに提供することを含む方法。１９．前記既存の冷媒がＲ−２２、Ｒ−４０４Ａ、Ｒ−４０７Ｃ、およびＲ−１３４ａから選択される、上記１８に記載の方法。
２０．上記１に記載の組成物を含有する冷凍、空調またはヒートポンプ装置。
２１．上記１に記載の組成物を含有する業務用空調装置。
２２．上記１に記載の組成物を含有する業務用冷凍システム。
２３．熱を回収するための方法であって、（ａ）熱を生成するプロセスと連通する第１の熱交換器に、上記１に記載の組成物を含む作動流体を通すステップと、（ｂ）該作動流体を該第１の熱交換器から除去するステップと、（ｃ）機械的エネルギーを生成するデバイスに、該作動流体を通すステップと、（ｄ）第２の熱交換器に該作動流体を通すステップとを含む方法。
２４．上記１に記載の組成物を含有する自動車用空調装置またはヒートポンプ。
２５．ＨＦＯ−１２３４ｙｆまたはトランス−ＨＦＯ−１２３４ｚｅまたはこれらの混合物と、ＨＦＣ−３２と、ＨＦＣ−１５２ａ、ＨＦＯ−１２４３ｚｆまたはこれらの混合物とを含み、該ＨＦＣ−１５２ａ、ＨＦＯ−１２４３ｚｆまたはこれらの混合物が約１４質量パーセント〜約１６質量パーセントの範囲である組成物であって、Ｒ−２２、ＨＦＣ−１３４ａ、Ｒ−４０４Ａ、およびＲ−４０７Ｃからなる群から選択される少なくとも１つの化合物の約７５％〜約１３０％の範囲の冷却能力を有する組成物。
２６．鉱油、アルキルベンゼン、合成パラフィン、合成ナフテン、ポリアルファオレフィン、ポリアルキレングリコール、二塩基酸エステル、ポリエステル、ネオペンチルエステル、ポリビニルエーテル、シリコーン、ケイ酸エステル、フッ素化化合物、リン酸エステルおよびこれらの混合物からなる群から選択される少なくとも１つの潤滑剤をさらに含む、上記２５に記載の組成物。
２７．潤滑剤、色素（ＵＶ色素を含む）、可溶化剤、相溶化剤、安定剤、トレーサー、ペルフルオロポリエーテル、摩耗防止剤、極圧剤、腐食および酸化防止剤、金属表面エネルギー低下剤、金属表面不活性化剤、フリーラジカル捕捉剤、泡制御剤、粘度指数向上剤、流動点降下剤、清浄剤、粘度調整剤、およびこれらの混合物からなる群から選択される少なくとも１つの添加剤をさらに含む、上記２５に記載の組成物。
２８．上記２５に記載の組成物を凝縮させるステップと、その後、冷却すべき物体の近くで該組成物を蒸発させるステップと、を含む、冷却を行うための方法。
２９．加熱すべき物体の近くで上記２５に記載の組成物を凝縮させるステップと、その後、該組成物を蒸発させるステップと、を含む、熱を生成するための方法。
３０．Ｒ−２２、Ｒ−４０４Ａ、Ｒ−４０７Ｃ、またはＲ−１３４ａを使用するように設計されたシステムでそれぞれＲ−２２、Ｒ−４０４Ａ、Ｒ−４０７Ｃ、またはＲ−１３４ａを置換するための方法であって、上記１に記載の組成物を該システムに提供することを含む方法。
３１．上記２５に記載の組成物を含有する冷凍、空調またはヒートポンプ装置。
３２．上記２５に記載の組成物を含有する業務用空調装置。
３３．上記２５に記載の組成物を含有する業務用冷凍システム。
３４．熱を回収するための方法であって、（ａ）熱を生成するプロセスと連通する第１の熱交換器に、上記２５に記載の組成物を含む作動流体を通すステップと、（ｂ）該作動流体を該第１の熱交換器から除去するステップと、（ｃ）機械的エネルギーを生成するデバイスに、該作動流体を通すステップと、（ｄ）第２の熱交換器に該作動流体を通すステップとを含む方法。
３５．上記２５に記載の組成物を含有する自動車用空調装置またはヒートポンプ。
【手続補正３】
【補正対象書類名】特許請求の範囲
【補正対象項目名】全文
【補正方法】変更
【補正の内容】
【特許請求の範囲】
【請求項１】
ＨＦＯ−１２３４ｙｆと、ＨＦＣ−３２と、ＨＦＣ−１５２ａとを含む組成物であって、約２２〜約３８重量パーセントのＨＦＯ−１２３４ｙｆと、約５７．５重量パーセントのＨＦＣ−３２と、約５〜約２０重量パーセントのＨＦＣ−１５２ａとを含む組成物。
【請求項２】
請求項１に記載の組成物を凝縮させ、その後、冷却すべき本体の近くで前記組成物を蒸発させることを含む、冷却をもたらすための方法。
【請求項３】
加熱すべき本体の近くで請求項１に記載の組成物を凝縮させ、その後、前記組成物を蒸発させることを含む、加熱をもたらすための方法。
【請求項４】
Ｒ−２２を使用するように設計されたシステムで前記Ｒ−２２を置換するための方法であって、請求項１に記載の組成物を前記システムに提供することを含む方法。
【請求項５】
熱を回収するための方法であって、（ａ）加熱をもたらすプロセスと連通する第１の熱交換器に、請求項１に記載の組成物を含む作動流体を通すステップと、（ｂ）前記作動流体を前記第１の熱交換器から除去するステップと、（ｃ）機械的エネルギーをもたらすデバイスに、前記作動流体を通すステップと、（ｄ）第２の熱交換器に前記作動流体を通すステップとを含む方法。
【請求項６】
ＨＦＯ−１２３４ｙｆと、ＨＦＣ−３２と、ＨＦＣ−１５２ａとを含み、前記ＨＦＣ−１５２ａが約１４重量パーセント〜約１６重量パーセントの範囲である組成物であって、Ｒ−２２の約７５％〜約１３０％の範囲の冷却容量を有する組成物。
【請求項７】
請求項６に記載の組成物を凝縮させ、その後、冷却すべき本体の近くで前記組成物を蒸発させることを含む、冷却をもたらすための方法。
【請求項８】
加熱すべき本体の近くで請求項６に記載の組成物を凝縮させ、その後、前記組成物を蒸発させることを含む、加熱をもたらすための方法。
【請求項９】
熱を回収するための方法であって、（ａ）加熱をもたらすプロセスと連通する第１の熱交換器に、請求項６に記載の組成物を含む作動流体を通すステップと、（ｂ）前記作動流体を前記第１の熱交換器から除去するステップと、（ｃ）機械的エネルギーをもたらすデバイスに、前記作動流体を通すステップと、（ｄ）第２の熱交換器に前記作動流体を通すステップとを含む方法。